(57)【特許請求の範囲】
【請求項１】
脚体によって背もたれを支持するとともに、座体を、前記背もたれの下部より前方を向く使用位置と、背もたれの前方において上方を向く折り畳み位置とに回動可能として脚体に支持し、かつ前記座体の少なくとも一側方において、肘掛けを脚体に取り付けた肘掛け付き椅子において、
前記肘掛けを、脚体における座体の回動中心の外側の部分より前上方に向かって延出し、その前上端部が、折り畳み位置としたときの座体の前端と前後方向のほぼ同一位置か、または後方に位置するようにしたことを特徴とする肘掛け付き椅子。
【請求項２】
肘掛けを、その前後の縁が、互いに平行をなして前上方を向き、かつ上端面がほぼ水平をなす形状とした請求項１記載の肘掛け付き椅子。
【請求項３】
脚体が、倒立Ｖ字状に折曲した左右１対の脚杆と、各脚杆の上部に固着した前後方向を向く取付板と、この取付板に各端部が固着され、かつ座体を枢支する左右方向を向く枢軸とを備え、前記取付板の外側面に、肘掛けの下端部を当接させて、前記枢軸と同軸としたボルトをもって、肘掛けを取付板に固着した請求項１または２記載の肘掛け付き椅子。
【請求項４】
肘掛けの下端部に、倒立Ｖ字状とした脚杆の上部の内面形状と補形をなす取付片を設け、この取付片を、脚杆の上部の内面に嵌合して、ボルトをもって、取付板に固着することにより、肘掛けを脚体に対して左右軸回りに回り止めした請求項３記載の肘掛け付き椅子。
【請求項５】
左右の取付板の外側面に、外側方に突出するキャップを、肘掛けの下端部またはスペーサを挟んでボルト締めし、左右のキャップのいずれか一方の先端部下面と他方の先端部上面とに、互いに係合しうる凹凸を設けた請求項３または４記載の肘掛け付き椅子。
【請求項６】
左右の取付板の後方延長部に、背もたれの下端部を固着して、背もたれを支持した請求項３〜５のいずれかに記載の肘掛け付き椅子。
【請求項７】
脚体における左右１対の前脚の間隔と、左右１対の後脚の間隔とを互いに異ならせ、座体を折り畳み位置として、前記脚体の前脚間または後脚間に、他の椅子の脚体の後脚または前脚を嵌合することにより、複数の椅子を互いに前後方向に近接させて配置しうるようにした請求項１〜６のいずれかに記載の肘掛け付き椅子。
【発明の詳細な説明】
【技術分野】
【０００１】
本発明は、座体を折り畳み可能とした肘掛け付き椅子に関する。
【背景技術】
【０００２】
従来のこの種の肘掛け付き椅子には、脚体によって背もたれを支持するとともに、座体を、背もたれの下部より前方を向く使用位置と、背もたれの前方において上方を向く折り畳み位置とに回動可能として脚体に支持し、かつ座体の少なくとも一側方において、肘掛けを、背もたれから前方に向かって突出した後、その前端から後下方に向かって折曲して、その下端を脚体に固着するようにして取り付けたものがある(例えば特許文献１および２参照)。
【特許文献１】特開２００６−３１４４２１号公報
【特許文献２】特開２００５−７３７８９号公報
【発明の開示】
【発明が解決しようとする課題】
【０００３】
しかし、上述のような従来の肘掛け付き椅子においては、座体を折り畳み位置としたとき、肘掛けが座体より大きく前方に突出するので、多数の同一の椅子を前後左右に並べて使用する際に、肘掛けが、前後の椅子の間を通行する人の妨げとなる。
【０００４】
また、上述の従来の肘掛け付き椅子においては、多数の同一の椅子を、互いに前後方向に近接させて収容する、いわゆるネスティングに適するように、肘掛けの上部が前下がり傾斜し、かつ肘掛けの下部が後下方に向けて傾斜する側面視ほぼく字状とし、前後の椅子の肘掛け同士が互いに嵌り合う関係としてあるため、肘掛けの使用感が悪く、しかも、前後の椅子の肘掛け同士が互いに当接して、傷つき易い等の問題がある。
【０００５】
本発明は、従来の技術が有する上記のような問題点に鑑み、座体を折り畳み位置としたとき、肘掛けが通行者等の妨げとなることがなく、またネスティング時に、前後の椅子の肘掛けが上下に重なることなく近接することができ、しかも、使用時に、快適な肘掛け感が得られるようにした肘掛け付き椅子を提供することを目的としている。
【課題を解決するための手段】
【０００６】
本発明によると、上記課題は次のようにして解決される。
(１)  脚体によって背もたれを支持するとともに、座体を、前記背もたれの下部より前方を向く使用位置と、背もたれの前方において上方を向く折り畳み位置とに回動可能として脚体に支持し、かつ前記座体の少なくとも一側方において、肘掛けを脚体に取り付けた肘掛け付き椅子において、前記肘掛けを、脚体における座体の回動中心の外側の部分より前上方に向かって延出し、その前上端部が、折り畳み位置としたときの座体の前端と前後方向のほぼ同一位置か、または後方に位置するようにする。
【０００７】
このような構成とすると、座体を折り畳み位置としたとき、肘掛けが座体より大きく前方に突出することがないので、肘掛けが通行者等の妨げとなることがなく、またネスティング時に、前後の椅子の肘掛けが上下に重なることなく近接することができるので、それらが当接して傷つくおそれがなく、しかも、肘掛けの上面は、前下がり傾斜させる必要がなく、水平としたり、曲面としたり、自由に設計できるので、使用時に、快適な肘掛け感を得ることができる。
【０００８】
(２)  上記(１)項において、肘掛けを、その前後の縁が、互いに平行をなして前上方を向き、かつ上端面がほぼ水平をなす形状とする。
【０００９】
このような構成とすると、肘掛けをシンプルな形状とすることができ、美麗な外観を呈することができるとともに、肘掛けの強度を高めて、安定して、快適に肘掛けを使用することができる。
【００１０】
(３)  上記(１)または(２)項において、脚体が、倒立Ｖ字状に折曲した左右１対の脚杆と、各脚杆の上部に固着した前後方向を向く取付板と、この取付板に各端部が固着され、かつ座体を枢支する左右方向を向く枢軸とを備え、前記取付板の外側面に、肘掛けの下端部を当接させて、前記枢軸と同軸としたボルトをもって、肘掛けを取付板に固着する。
【００１１】
このような構成とすると、脚体の構成を簡素化しうるとともに、組み立て作業を簡略化でき、製造コストを低減することができる。
【００１２】
(４)  上記(３)項において、肘掛けの下端部に、倒立Ｖ字状とした脚杆の上部の内面形状と補形をなす取付片を設け、この取付片を、脚杆の上部の内面に嵌合して、ボルトをもって、取付板に固着することにより、肘掛けを脚体に対して左右軸回りに回り止めする。
【００１３】
このような構成とすると、肘掛けを、１本のボルトをもって、脚体に、ボルトまわりに回動することなく、簡単かつ強固に取付けることができる。
【００１４】
(５)  上記(３)または（４）項において、左右の取付板の外側面に、外側方に突出するキャップを、肘掛けの下端部またはスペーサを挟んでボルト締めし、左右のキャップのいずれか一方の先端部下面と他方の先端部上面とに、互いに係合しうる凹凸を設ける。
【００１５】
このような構成とすると、キャップが肘掛けの押え部材となって、肘掛けを脚体に強固に取り付けることができるとともに、左右のキャップに設けた凹凸を利用して、複数の椅子を左右に並べて使用する際の左右方向の連結を図ることができる。
【００１６】
(６)  上記(３)〜（５）項のいずれかにおいて、左右の取付板の後方延長部に、背もたれの下端部を固着して、背もたれを支持する。
【００１７】
このような構成とすると、左右の取付板と枢軸と背もたれとにより、平面視方形のフレーム構造を形成することができ、椅子全体の強度を高めることができる。
【００１８】
(７)  上記(１)〜（６）項のいずれかにおいて、脚体における左右１対の前脚の間隔と、左右１対の後脚の間隔とを互いに異ならせ、座体を折り畳み位置として、前記脚体の前脚間または後脚間に、他の椅子の脚体の後脚または前脚を嵌合することにより、複数の椅子を互いに前後方向に近接させて配置しうるようにする。
【００１９】
このような構成とすると、肘掛けの構成と相まって、ネスティング時に、前後の椅子の前後間隔を著しく縮めることができる。
【発明の効果】
【００２０】
本発明によると、座体を折り畳み位置としたとき、肘掛けが通行者等の妨げとなることがなく、またネスティング時に、前後の椅子の肘掛けが上下に重なることなく近接することができ、しかも、使用時に、快適な肘掛け感が得られるようにすることができる。
【発明を実施するための最良の形態】
【００２１】
以下、本発明の一実施形態を、添付図面を参照して説明する。  
図１は、本発明の一実施形態における座体を使用位置としたときの状態を実線で、同じく折り畳み位置としたときの状態を２点鎖線で示す側面図、図２は、座体を折り畳み位置としたときの正面図、図３は、同じく折り畳み位置としたときの斜視図である。
【００２２】
この肘掛け付き椅子１は、脚体２によって背もたれ３を支持するとともに、座体４を、図１に実線で示すように、背もたれ３の下部より前方を向く使用位置と、同じく２点鎖線で示すように、背もたれ３の前方において上方を向く折り畳み位置とに回動可能として脚体２に支持し、かつ座体４の一側方において、肘掛け５を脚体２に取り付けたものよりなっている。
【００２３】
脚体２は、倒立Ｖ字状に折曲した左右１対の脚杆６、６と、各脚杆６の上端屈曲部６ａの内面に溶接等により固着した前後方向を向く取付板７と、この取付板７に各端部が固着され、かつ座体４を枢支する左右方向を向く枢軸８とを備えている。
【００２４】
左右の各脚杆６における上端屈曲部６ａより前方の部分は前脚６ｂをなし、同じく後方の部分は後脚６ｃをなしており、左右の前脚６ｂ、６ｂの前端部間の間隔が、左右の後脚６ｃ、６ｃの後端部間の間隔より小となるように、左右の脚杆６、６は、平面視において後方に向かって拡開するハ字状をなしている。
【００２５】
こうすることによって、図４および図５に示すように、同一形状の複数の椅子１を前後方向に近接させて収容する、いわゆるネスティング時に、左右の後脚６ｃ、６ｃ間に、後方の椅子１の左右の前脚６ｂ、６ｂが嵌合し、複数の椅子１を前後方向にきわめて近接させて収容することができるようにしてある。
【００２６】
なお、左右の前脚６ｂ、６ｂの前端部間の間隔が、左右の後脚６ｃ、６ｃの後端部間の間隔より大となるように、左右の脚杆６、６を、平面視において前方に向かって拡開するハ字状とすることもある。
【００２７】
左右の取付板７、７の後方延長部７ａ、７ａには、背もたれ３の下端両側部が固着され、背もたれ３は、この後方延長部７ａ、７ａをもって、脚体２に支持されている。
また、このような構成としたことにより、左右の取付板７、７と枢軸８と背もたれ３とにより、平面視方形枠状のフレーム構造が形成され、椅子１全体の強度を高めることができる。
【００２８】
座体４の下面には、裏板９が固着され、この裏板９と座体４との間に、座体４に枢軸８を軸受する軸受、座体４の回動範囲を使用位置と折り畳み位置との間に規制する回動範囲規制手段、および座体を折り畳み位置に向かって付勢する付勢手段(いずれも図示略)等が設けられているが、それらは、本発明に直接関係しないので、詳細な説明は省略する。
【００２９】
肘掛け５は、下端部に脚杆６の上端屈曲部６ａの内面形状と補形をなす側面視ほぼ二等辺三角形の取付片５ａを有しており、この取付片５ａを脚杆６の上端屈曲部６ａの内面に嵌合して、その内面を取付板７の外側面に当接し、さらに取付片５ａの外側面にキャップ１０を押し当て、このキャップ１０の中心と、肘掛け５の取付片５ａの中心と、取付板７とを貫通させたボルト１１を、枢軸８の端面中央に設けたねじ孔(図示略)に螺合させて締め付けることにより、脚体２に、枢軸８とともに、左右軸回りに回り止めして強固に固着されている。
【００３０】
肘掛け５は、取付片５ａの上端より頸部５ｂを介して連設された肘掛け本体５ｃを有しており、この肘掛け本体５ｃは、脚体２における座体４の回動中心である枢軸８の外側の部分より前上方に向かって延出し、その前上端部が、折り畳み位置としたときの座体４の前端と前後方向のほぼ同一位置に位置するようにしてある。
【００３１】
このように、肘掛け本体５ｃの前上端部の前後位置を、折り畳み位置としたときの座体４の前端のそれとほぼ同一としてあるので、座体４を折り畳み位置としたとき、肘掛け５が座体４より大きく前方に突出することがなく、肘掛けが通行者等の妨げとなることがない。
また、ネスティング時に、前後の椅子１の肘掛け５が上下に重なることなく近接することができるので、それらが当接して傷つくおそれがなく、しかも、肘掛け５の上面は、前下がり傾斜させる必要がなく、水平としたり、曲面としたり、自由に設計できるので、使用時に、快適な肘掛け感を得ることができる。
【００３２】
肘掛け本体５ｃの前後の縁は、互いに平行をなして前上方を向き、また肘掛け本体５ｃの上端面は、ほぼ水平としてあり、肘掛け本体５ｃの外側面には、そのほぼ台形状の外形より小寸の相似形とした凹入部５ｄが設けられている。
【００３３】
脚体２における肘掛け５が設けられていない右方の脚杆６に固着された取付板７の外側面には、左方のキャップ１０と対をなすキャップ１２が、肘掛け５の取付片５ａの厚さと同一厚さとしたスペーサ１３を介して、左方のボルト１１と同一のボルト１１をもって固着されている。
【００３４】
図２に示すように、左右のキャップ１０、１２は、それぞれ脚杆６より外側方に突出し、左方のキャップ１０の先端部下面と、右方のキャップ１２の先端部上面とには、互いに相手側の先端部上下面に係合しうる凹溝１４、１５が設けられている。
【００３５】
このような構成としたことにより、キャップ１０が肘掛け５の押え部材となって、肘掛け５を脚体２に強固に取り付けることができるとともに、左右のキャップ１０、１２に設けた凹溝１４、１５を利用して、複数の椅子１を左右に並べて使用する際の左右方向の連結を図ることができる。
【００３６】
本発明は、上記実施形態のみに限定されるものではなく、幾多の変形した態様での実施が可能である。
例えば、上記実施形態においては、肘掛け本体５ｃの前上端部の前後位置を、折り畳み位置としたときの座体４の前端のそれとほぼ同一としてあるが、肘掛け本体５ｃの前上端部の前後位置は、折り畳み位置としたときの座体４の前端より後方に位置させてもよい。
また、脚体２の右方にも、肘掛け５を、左方のものと同様の構造をもって取り付けてもよい。この場合、スペーサ１３を、肘掛け５と取り替えるだけでよい。
【図面の簡単な説明】
【００３７】
【図１】本発明の一実施形態の側面図である。
【図２】同じく、収納位置としたときの正面図である。
【図３】同じく、収納位置としたときの斜視図である。
【図４】同じく、３個の椅子のネスティングした時の状態を示す側面図である。
【図５】同じく、３個の椅子のネスティングした時の状態を示す斜視図である。
【符号の説明】
【００３８】
１  椅子
２  脚体
３  背もたれ
４  座体
５  肘掛け
５ａ取付片
５ｂ頸部
５ｃ肘掛け本体
５ｄ凹入部
６  脚杆
６ａ上端屈曲部
６ｂ前脚
６ｃ後脚
７  取付板
７ａ後方延長部
８  枢軸
９  裏板
１０  キャップ
１１  ボルト
１２  キャップ
１３  スペーサ
１４、１５  凹溝
【図１】
0005184908.tif 000002
【図２】
0005184908.tif 000003
【図３】
0005184908.tif 000004
【図４】
0005184908.tif 000005
【図５】
0005184908.tif 000006